(57)【要約】【課題】丼型の食品包装用容器に求められる丸形の容器形状を維持しつつ、中皿の周方向の位置を容易に位置決めすることができる丼型の食品包装用容器を提供する。【解決手段】各々合成樹脂製シートからなり、平面視外縁が略円形である本体１と、中皿２と、平面視外縁が略円形である蓋３と、を備え、本体１と中皿２と蓋３とが合体した合体状態において帯状ラベルが上下方向に巻回されて使用される、丼型の食品包装用容器であって、本体１の突条１４の内側の側面部１４ａは、平面視略多角形であり、中皿２の立ち上がり壁部３６は、本体１の突条１４の内側の側面部に対応した平面視略多角形であり、合体状態において、本体１の突条１４の内側の側面部１４ａに中皿２の立ち上がり壁部３６が係合することにより中皿２が周方向に位置決めされる。【選択図】図１
2020111386.tif 000002
【特許請求の範囲】
【請求項１】
各々合成樹脂製シートからなり、平面視外縁が略円形である本体と、中皿と、平面視外縁が略円形である蓋と、を備え、本体と中皿と蓋とが合体した合体状態において帯状ラベルが上下方向に巻回されて使用される、丼型の食品包装用容器であって、
本体は、本体底面部と本体側壁部と本体フランジ部とを備え、
本体フランジ部は、本体側壁部の上端から外側に向けて略水平に延びる本体水平面部と、該本体水平面部の外側に位置し、略全周に亘って上側に突出した突条と、該突条の外側に位置する平面視略円形の本体外嵌合部と、本体フランジ部の外縁の所定箇所に形成された本体摘み部とを備え、
突条は、本体水平面部の外縁から上側に立ち上がる内側の側面部と、該内側の側面部の外側に位置する外側の側面部と、内側の側面部の上端と外側の側面部の上端とを連結する頂面部とを備え、突条の内側の側面部は、平面視略多角形であり、
中皿は、中皿底面部と中皿側壁部と仕切り壁部と中皿フランジ部とを備え、
中皿フランジ部は、中皿側壁部の外縁から外側に延びるベース面部と、該ベース面部の外縁から上側に立ち上がる立ち上がり壁部と、該立ち上がり壁部の上端から外側に向けて略水平に延びる中皿水平面部とを備え、立ち上がり壁部は、本体の突条の内側の側面部に対応した平面視略多角形であり、
蓋は、天面部と蓋側壁部と蓋フランジ部とを備え、天面部の周縁部には互いに対向して一対のガード凸部が上側に向けて突設され、両ガード凸部の間に合体状態において帯状ラベルが巻回され、
蓋フランジ部は、合体状態において本体外嵌合部の外側に嵌合する平面視略円形の蓋外嵌合部と、蓋フランジ部の外縁の所定箇所に形成された蓋摘み部とを備え、
合体状態において、本体の突条の内側の側面部に中皿の立ち上がり壁部が係合することにより中皿が周方向に位置決めされる、丼型の食品包装用容器。
【請求項２】
本体側壁部の上部の全周のうち所定箇所には、本体水平面部を一部切り欠くようにして本体側壁部の上部から突条にかけて外側に向けて凹設された、食品取り出し用の飲み口部が形成されている請求項１記載の丼型の食品包装用容器。
【請求項３】
本体の突条の内側の側面部は、少なくとも一辺が他の辺よりも長い平面視略多角形であり、中皿の立ち上がり壁部は、本体の突条の内側の側面部に対応して、少なくとも一辺が他の辺よりも長い平面視略多角形である請求項１記載の丼型の食品包装用容器。
【発明の詳細な説明】
【技術分野】
【０００１】
本発明は、本体と中皿と蓋とを備えた丼型の食品包装用容器に関する。
【背景技術】
【０００２】
近年、コンビニエンスストアやスーパーマーケット等で、店頭で購入後に調理不要でそのまま食べられる、冷やし中華等の冷やし麺やラーメン、とろろ蕎麦等の各種の麺類や、中華丼等の各種の丼物等が販売されている。これらの食品は例えば下記特許得文献１記載のように丼型の食品包装用容器に収容される。これらの丼型の容器は、特に丸形の容器形状が好まれている。
【０００３】
丼型の食品包装用容器は、例えば麺と具材とを分離して収容するために、本体と蓋の他に中皿が使用される。本体と中皿と蓋は、それぞれ合成樹脂製シートによって成形される。本体には、例えば麺等の食材が収容され、中皿には、例えば麺に載せる具材が収容される。中皿が収容空間を区画する仕切り壁部を備えている場合には、仕切り壁部によって区画された複数の収容室にそれぞれ異なる種類の具材が収容される。そして、食品を収容した包装状態において、食品の名前等の各種の情報が印刷された帯状ラベルが、蓋の天面部から本体の底面部にかけて上下方向に巻回される。
【０００４】
例えば、冷やし中華等の冷やし麺を例にして商品完成までの作業工程を説明すると、まず本体に麺を収容し、その後、本体に中皿を載せる。その中皿に、卵、胡瓜、トマト等の各種の具材を載せる。そして、蓋を被せた後、帯状ラベルを巻きつけて商品が完成する。
【０００５】
購入者は、帯状ラベルに記載された情報を見ると同時に、中皿に収容された具材を見るため、中皿に収容された各具材の向きと帯状ラベルの向きとが綺麗に揃っていることが求められる。丼型の容器は丸形形状であるため、本体に中皿を載せる際に、本体に対する中皿の周方向の位置決めを行うと共に更にその中皿に対して蓋の周方向の位置決めを行うことは容易ではないが、従来においては、その位置決め作業を手作業で一つ一つ行う必要があり、大きな作業労力が必要であった。
【０００６】
これに対して下記特許文献２に記載された容器においては、中皿の外縁に切欠部を設けて、その切欠部を本体に係止させることによって中皿の位置決めを行う構成が提案されている。しかしながら、中皿に切欠部を設けるとその切欠部を起点として中皿を構成するシートに亀裂が生じやすいという問題がある。
【先行技術文献】
【特許文献】
【０００７】
【特許文献１】特開２０１５−１４５２８５号公報
【特許文献２】実用新案登録第３２１２３１２号公報
【発明の概要】
【発明が解決しようとする課題】
【０００８】
本発明は、丼型の食品包装用容器に求められる丸形の容器形状を維持しつつ、中皿の周方向の位置を容易に位置決めすることができる丼型の食品包装用容器を提供することを課題とする。
【課題を解決するための手段】
【０００９】
本発明に係る丼型の食品包装用容器は、各々合成樹脂製シートからなり、平面視外縁が略円形である本体と、中皿と、平面視外縁が略円形である蓋と、を備え、本体と中皿と蓋とが合体した合体状態において帯状ラベルが上下方向に巻回されて使用される、丼型の食品包装用容器であって、本体は、本体底面部と本体側壁部と本体フランジ部とを備え、本体フランジ部は、本体側壁部の上端から外側に向けて略水平に延びる本体水平面部と、該本体水平面部の外側に位置し、略全周に亘って上側に突出した突条と、該突条の外側に位置する平面視略円形の本体外嵌合部と、本体フランジ部の外縁の所定箇所に形成された本体摘み部とを備え、突条は、本体水平面部の外縁から上側に立ち上がる内側の側面部と、該内側の側面部の外側に位置する外側の側面部と、内側の側面部の上端と外側の側面部の上端とを連結する頂面部とを備え、突条の内側の側面部は、平面視略多角形であり、中皿は、中皿底面部と中皿側壁部と仕切り壁部と中皿フランジ部とを備え、中皿フランジ部は、中皿側壁部の外縁から外側に延びるベース面部と、該ベース面部の外縁から上側に立ち上がる立ち上がり壁部と、該立ち上がり壁部の上端から外側に向けて略水平に延びる中皿水平面部とを備え、立ち上がり壁部は、本体の突条の内側の側面部に対応した平面視略多角形であり、蓋は、天面部と蓋側壁部と蓋フランジ部とを備え、天面部の周縁部には互いに対向して一対のガード凸部が上側に向けて突設され、両ガード凸部の間に合体状態において帯状ラベルが巻回され、蓋フランジ部は、合体状態において本体外嵌合部の外側に嵌合する平面視略円形の蓋外嵌合部と、蓋フランジ部の外縁の所定箇所に形成された蓋摘み部とを備え、合体状態において、本体の突条の内側の側面部に中皿の立ち上がり壁部が係合することにより中皿が周方向に位置決めされる。
【００１０】
該構成の丼型の食品包装用容器にあっては、本体に麺等の主の食材を収容した状態で中皿を載せる。本体に中皿を載せると、本体の本体水平面部に中皿のベース面部が載置される。尚、中皿の中皿水平面部は、本体の突条の頂面部に当接しても当接しなくてもよい。本体に中皿を載せる際に、本体の本体摘み部と中皿の仕切り壁部を目安にして本体に対して中皿の周方向の位置を合わせることができる。そして、本体に中皿を載せると、本体の突条の内側の側面部に中皿の立ち上がり壁部が係合して中皿の本体に対する周方向の位置が定まる。尚、本体の突条の内側の側面部の内面と、中皿の立ち上がり壁部の外面とは、当接しても当接しなくてもよく、当接しない場合であっても、本体の突条の内側の側面部に対して中皿の立ち上がり壁部が周方向に回転しない程度のクリアランスであればよい。そして、本体の突条の内側の側面部と中皿の立ち上がり壁部が平面視略多角形となっているので、本体に対して中皿の周方向の位置を容易に位置決めすることができる。中皿には、例えば具材を収容する。中皿には仕切り壁部が設けられていてその仕切り壁部によって中皿の収容空間が複数の収容室に区画されている。複数の収容室にそれぞれ異なる具材を収容することができる。そして、蓋を被せる際には、蓋摘み部を目安にして本体及び中皿に対して所定の向きに蓋を被せることができる。その後、帯状ラベルを巻回するが、中皿が本体及び蓋に対して周方向の所定位置に位置決めされているため、帯状ラベルと中皿とが綺麗に揃った状態となる。即ち、中皿に収容された具材等の食品と帯状ラベルとが綺麗に揃った状態となり、見栄えのよい商品となる。
【００１１】
特に、本体側壁部の上部の全周のうち所定箇所には、本体水平面部を一部切り欠くようにして本体側壁部の上部から突条にかけて外側に向けて凹設された、食品取り出し用の飲み口部が形成されていることが好ましい。このように飲み口部が形成されていると、その飲み口部から例えば麺等の食材を容易に食することができる。また、飲み口部は外面側に膨出した突形状であるため、出荷時に本体同士を積み重ねて梱包した際に、飲み口部の突形状によって本体の周方向の位置を容易に揃えることができる。そのため、本体摘み部の位置が揃うことになり、本体摘み部が梱包時に折れ曲がったりすることも防止される。
【００１２】
また、本体の突条の内側の側面部は、少なくとも一辺が他の辺よりも長い平面視略多角形であり、中皿の立ち上がり壁部は、本体の突条の内側の側面部に対応して、少なくとも一辺が他の辺よりも長い平面視略多角形であると、中皿を本体に対して所定の向きに容易に位置合わせすることができ、組み立て作業性が向上する。
【発明の効果】
【００１３】
以上のように、中皿の周方向の位置を容易に位置決めすることができ、中皿に収容された具材等の食品と帯状ラベルとが綺麗に揃った状態となって、美感に優れた商品が得られる。また、丼型の食品包装用容器に求められる丸形の容器形状も維持できる。
【図面の簡単な説明】
【００１４】
【図１】本発明の一実施形態における丼型の食品包装用容器の分離状態を示す斜視図。
【図２】同容器の本体の平面図。
【図３】同容器の本体の主要部分のみを示した平面図。
【図４】同容器の中皿の平面図。
【図５】同容器の中皿の底面図。
【図６】同容器の蓋の平面図。
【図７】同容器の本体、中皿、蓋のそれぞれのＡ−Ａ線、Ｂ−Ｂ線、Ｃ−Ｃ線における端面図。
【図８】図７の要部拡大図。
【図９】図２のＤ−Ｄ端面図。
【図１０】図９の要部拡大図。
【図１１】同容器の合体状態（包装状態）を示す斜視図。
【図１２】同容器の合体状態（包装状態）を示す平面図。
【図１３】同容器の合体状態（包装状態）を示す図７に対応した端面図。
【図１４】図１３の要部拡大図。
【図１５】本発明の他の実施形態における容器の本体の主要部分のみを示した図３に対応した平面図。
【図１６】本発明の他の実施形態における容器の本体の主要部分のみを示した図３に対応した平面図。
【図１７】本発明の他の実施形態における容器の合体状態（包装状態）を示す図１４に対応した要部拡大図。
【図１８】本発明の他の実施形態における容器の合体状態（包装状態）を示す図１４に対応した要部拡大図。
【図１９】本発明の他の実施形態における容器の本体の主要部分のみを示した図３に対応した平面図。
【図２０】同本体に装着される中皿の主要部分のみを示した平面図。
【図２１】本発明の他の実施形態における容器の本体の主要部分のみを示した図３に対応した平面図。
【図２２】同本体に装着される中皿の主要部分のみを示した平面図。
【発明を実施するための形態】
【００１５】
以下、本発明の一実施形態に係る丼型の包装用容器（以下、単に容器という。）について図１〜図１４を参酌しつつ説明する。図１に、容器の全体構成を分離状態で示している。容器には種々の食品を収容することができる。特に、各種の麺類や丼物が適している。
【００１６】
容器は、本体１と中皿２と蓋３とを備えている。本体１の上に中皿２が載せられ、その上から蓋３が被せられる。本体１と中皿２と蓋３は、何れも合成樹脂製シートからなり、真空成形や圧空成形等の各種の熱成形（シート成形）によって形成されている。本体１と中皿２と蓋３を構成する合成樹脂製シートは、同種のものであってもよいし、異種のものであってもよい。合成樹脂製シートは、例えばポリエチレンテレフタレート、ポリスチレン、ポリプロピレンやポリエチレン等のポリオレフィン等、各種合成樹脂シート、これらのシート素材として無機物を充填したシート、更には、これらのシートを延伸させた延伸シートなどを使用できる。例えば、耐熱性に優れたポリプロピレンに無機物を充填したシート、ポリエチレンテレフタレート・ポリスチレン・ポリプロピレン・ポリエチレンなどのシートを延伸して耐熱性を向上させた耐熱シートを使用できる。これらのシートの片面や両面に樹脂フィルムを積層してもよい。尚、透明性に優れたシートを使用することも好ましく、特に、蓋３には好ましい。尚、電子レンジ用とする場合には電子レンジによる加熱に耐え得るように耐熱性のシートを用いる。シートの厚みは例えば０．１〜１ｍｍである。
【００１７】
＜本体１＞
本体１は、図２のように、平面視外縁が略円形である。図７及び図８にも示しているように、本体１は、本体底面部１０と本体側壁部１１と本体フランジ部１２とを備えている。本体底面部１０と本体側壁部１１とによって上面開口の本体収容空間が形成される。本体底面部１０は平面視略円形である。本体底面部１０には各種の脚部を設けてよく、例えば本体底面部１０の周縁部に周回する脚部を設けたり複数の脚部を周方向に間隔をあけて配置したりしてよい。本体底面部１０には上げ底部を設けてよい。本体側壁部１１は本体底面部１０の周縁から立ち上がっている。本体側壁部１１は、全体として上方に向けて拡径しつつ延びた筒状である。本体側壁部１１は平面視略円形である。本体側壁部１１には各種のリブや凹凸模様を形成してよく、リブは本体底面部１０から本体側壁部１１にかけて延びた形状としてよい。本体側壁部１１の上端であって且つ外縁から本体フランジ部１２が外側に向けて延設されている。本体フランジ部１２は本体側壁部１１の外側に全周に亘って形成されている。
【００１８】
図８のように、本体フランジ部１２は、内側から順に、内側本体水平面部１３と、突条１４と、外側本体水平面部１５と、本体垂下壁部１６と、本体縁取り部１７とを備えている。内側本体水平面部１３は、本体側壁部１１の外縁から外側に向けて略水平に延びている。
【００１９】
突条１４は、内側本体水平面部１３の外縁に接続されている。突条１４は、内側本体水平面部１３と外側本体水平面部１５との間に位置していて、内側本体水平面部１３と外側本体水平面部１５とを連結している。即ち、突条１４は、内側本体水平面部１３の外縁と外側本体水平面部１５の内縁にそれぞれ接続されている。突条１４は、内側本体水平面部１３及び外側本体水平面部１５に対して上側に突出している。突条１４は周方向に沿って延びていて、本体フランジ部１２の略全周に亘って形成されている。本実施形態では突条１４は無端環状であって全周に亘って途切れることなく形成されているが、一部に途切れた部分を有していてもよい。
【００２０】
突条１４は、上下方向に切断した断面視において略コの字状である。突条１４は、内側の側面部１４ａと頂面部１４ｂと外側の側面部１４ｃとを備えている。内側の側面部１４ａは、内側本体水平面部１３の外縁から上側に向けて立ち上がっている。内側の側面部１４ａは、内側本体水平面部１３に対して垂直に立ち上がっていてもよいし、外側に傾斜しつつ立ち上がっていてもよい。内側の側面部１４ａは傾斜角度が異なる複数のテーパ面から構成されてもよい。頂面部１４ｂは、内側の側面部１４ａの上端と外側の側面部１４ｃの上端とを連結している。頂面部１４ｂは、略水平な平坦面であることが好ましいが、内外方向に沿って上側に向けて湾曲した湾曲面であってもよい。外側の側面部１４ｃは内側の側面部１４ａの外側に間隔をあけて位置している。外側の側面部１４ｃは内側の側面部１４ａと平行であってもよいし、非平行であってもよい。即ち、内側の側面部１４ａと外側の側面部１４ｃは平面視において互いに同じ形状であってもよいし、異なる形状であってもよい。外側の側面部１４ｃは頂面部１４ｂの外縁から下側に向けて延びている。換言すれば、外側の側面部１４ｃは、外側本体水平面部１５の内縁から上側に向けて立ち上がっている。外側の側面部１４ｃは外側本体水平面部１５に対して垂直に立ち上がっていてもよいし内側に傾斜しつつ立ち上がっていてもよい。本実施形態では、内側の側面部１４ａと外側の側面部１４ｃとの間の間隔は、下側に向けて徐々に広がっていて、内側の側面部１４ａと外側の側面部１４ｃは下側に向けて略ハの字状に広がっている。
【００２１】
図３に、本体１の内側本体水平面部１３と突条１４のみを平面図で示している。突条１４の内側の側面部１４ａは、平面視略多角形であり、特に平面視略正多角形である。多角形は、例えば六角形〜十二角形であって、好ましくは八角形〜十角形である。尚、多角形の各辺は、直線状であってもよいし、外側に向かって若干湾曲していてもよいし、内側に向かって若干湾曲していてもよい。突条１４の外側の側面部１４ｃは、平面視略円形であってもよいし平面視略多角形であってもよい。本実施形態では、突条１４の外側の側面部１４ｃは平面視略多角形である。突条１４の外側の側面部１４ｃが平面視略多角形である場合、その多角形は、例えば六角形〜十二角形であって、好ましくは八角形〜十角形である。多角形の各辺は、外側に向かって若干湾曲していてもよい。突条１４の外側の側面部１４ｃが平面視略多角形である場合、突条１４の内側の側面部１４ａと同じ多角形であることが好ましい。即ち、内側の側面部１４ａが例えば平面視略八角形である場合には外側の側面部１４ｃも同様に平面視略八角形であることが好ましく、更に、内側の側面部１４ａにおける各辺と外側の側面部１４ｃにおける各辺の周方向の位相が互いに揃っていることが好ましい。
【００２２】
外側本体水平面部１５は、突条１４の外側の側面部１４ｃの下端から外側に向けて略水平に延びている。外側本体水平面部１５は、突条１４の外側の側面部１４ｃの下端と本体垂下壁部１６の上端とを連結している。外側本体水平面部１５の高さは任意であって、内側本体水平面部１３の高さと略同じであってもよいし異なっていてもよく、本実施形態では内側本体水平面部１３の高さよりも低い。従って、本実施形態では、突条１４の外側の側面部１４ｃの全高は、突条１４の内側の側面部１４ａの全高よりも大きい。
【００２３】
本体垂下壁部１６は、平面視略円形である。本体垂下壁部１６は、外側本体水平面部１５の外縁から下側に向けて延びている。本体垂下壁部１６は、その上部に、本体外嵌合部１８を備えている。本体外嵌合部１８は、本体垂下壁部１６の下部に対して外側に突出している。本体外嵌合部１８は本体垂下壁部１６の全周に亘って連続的に形成されていてもよいし、一部に切欠部を有していてもよい。本体垂下壁部１６の最下部には外側に向けて下降しつつ傾斜したテーパ部１９を有している。
【００２４】
本体縁取り部１７は、本体垂下壁部１６の下端から外側に向けて略水平に延びている。本体縁取り部１７は、本体フランジ部１２の外周縁部を構成していると共に本体１の外周縁部を構成している。本体縁取り部１７は、平面視略円形である。本体縁取り部１７の全周のうちの一箇所には本体摘み部２０が形成されている。本体摘み部２０は、本体縁取り部１７の外縁の一部が局所的に外側に膨出したものであってその形状、大きさは任意であって指先で摘むことができる程度の形状、大きさであればよい。本体摘み部２０は例えば略三角形や舌片形状とすることができる。
【００２５】
＜飲み口部２１＞
本体側壁部１１の上部の全周のうち所定箇所には飲み口部２１が形成されていることが好ましい。飲み口部２１は、食品取り出し用であって、本体収容空間に収容される食品を取り出す際に好適に使用される。飲み口部２１の形状や大きさ、個数は任意であるが、本実施形態では１８０度対向して一対形成されている。一つの飲み口部２１は、突条１４の内側の側面部１４ａの一つの辺の内側に位置していることが好ましい。飲み口部２１の周方向の長さは、突条１４の内側の側面部１４ａの一辺の長さと略同じであることが好ましい。飲み口部２１は、本体側壁部１１の上部に外側に向けて凹設されている。図９及び図１０のように、飲み口部２１の内面は本体側壁部１１の内面に対して外側に凹んでおり、飲み口部２１の外面は本体側壁部１１の外面に対して外側に膨らんでいる。本体側壁部１１の上部に飲み口部２１が形成されることにより、内側本体水平面部１３は飲み口部２１によって一部切り欠かれる。図１０に示す二点鎖線は、飲み口部２１が形成されていない場合の本体側壁部１１の上部と内側本体水平面部１３である。
【００２６】
また、飲み口部２１は、内側本体水平面部１３を上下方向に跨ぐように、本体側壁部１１の上部から突条１４の内側の側面部１４ａにかけて形成されている。飲み口部２１が突条１４の内側の側面部１４ａの上端に達していることが好ましい。突条１４の内側の側面部１４ａのうち飲み口部２１が形成されている部分は局所的に外側に凹んでおり、突条１４の頂面部１４ｂは、飲み口部２１の形成箇所において局所的に幅狭となっている。飲み口部２１は、本体側壁部１１の上部から突条１４の内側の側面部１４ａにかけて滑らかに連続的に形成されていてもよいし、内側本体水平面部１３の位置で上下に緩やかに区画されていてもよい。飲み口部２１が内側本体水平面部１３の位置で上下に区画されている場合、飲み口部２１は、本体側壁部１１の上部に形成された飲み口下部２１ａと、突条１４の内側の側面部１４ａに全高に亘って形成された飲み口上部２１ｂとから構成される。飲み口下部２１ａの上下方向の寸法は、飲み口上部２１ｂの上下方向の寸法よりも大きい。
【００２７】
一対の飲み口部２１の対向方向に対して平面視において直交する方向の二箇所の外側本体水平面部１５に、本体フランジ部１２を指先で持つ際に適した把持部２２を設けることも好ましい。即ち、一対の飲み口部２１と直交する方向の二箇所において、突条１４の外側の側面部１４ｃに局所的に内側に凹んだ逃げ凹部２３が形成されることが好ましい。突条１４の外側の側面部１４ｃに逃げ凹部２３が形成されることにより、外側本体水平面部１５の内外方向の幅が局所的に内側に広がることになり、その広がった部分を把持部２２とすることができる。把持部２２は１８０度対向して一対形成されることが好ましい。
【００２８】
尚、図２において、左右方向を矢印Ｘで示し、前後方向を矢印Ｙで示している。平面視において本体摘み部２０は本体１の中心に対して左手前４５度の位置にある。即ち、平面視において本体摘み部２０が本体１の中心に対して左手前４５度に位置する状態を本体１の基準状態とし、その基準状態で左右方向と前後方向を定義する。突条１４の内側の側面部１４ａが例えば平面視略八角形である場合には、八角形の八つの辺のうち前後方向に一対の辺が対向し且つ左右方向に一対の辺が対向することが好ましい。また、一対の飲み口部２１は例えば図２のように前後方向に対向する配置態様としてよく、一対の把持部２２は左右方向に対向する配置態様としてよい。但し、一対の飲み口部２１が左右方向に対向し、一対の把持部２２が前後方向に対向する配置態様としてもよく、それらの配置態様は任意でよい。
【００２９】
＜中皿２＞
図４に中皿２の平面図を示し、図５に中皿２の底面図を示している。中皿２は、図４のように、平面視外縁が略円形であるが、略円形でなくてもよい。図７のように、中皿２は、中皿底面部３０と中皿側壁部３１と中皿フランジ部３２と仕切り壁部３３とを備えている。中皿底面部３０は平面視略円形である。中皿底面部３０の高さは一定であってもよいし一定でなくてもよい。中皿底面部３０には仕切り壁部３３が突設されている。中皿底面部３０と中皿側壁部３１とによって中皿収容空間が画成されるが、その中皿収容空間が仕切り壁部３３によって複数に区画されて複数の収容室３４が形成される。仕切り壁部３３の配置や個数は任意である。仕切り壁部３３は例えば平面視において所定方向に沿って延びる形状とすることができ、その場合、複数の収容室３４は仕切り壁部３３の方向と直交した方向に並ぶことになる。本実施形態では所定方向に沿って延びる二つの仕切り壁部３３を有していて、その二つの仕切り壁部３３によって中皿収容空間は三つの収容室３４に仕切られている。
【００３０】
中皿底面部３０の周縁から中皿側壁部３１が立ち上がっている。中皿側壁部３１は本実施形態では平面視略円形であるが、平面視略円形でなくてもよい。中皿底面部３０や中皿側壁部３１には各種のリブを形成してよい。中皿側壁部３１は、主側壁部３１ａと外部側壁部３１ｂとを備えている。主側壁部３１ａは中皿底面部３０の周縁から上側に立ち上がっている。主側壁部３１ａは、全体として上側に向けて拡径しつつ延びている。主側壁部３１ａの上端から下側に向けて外部側壁部３１ｂが延びている。主側壁部３１ａと外部側壁部３１ｂとの間の折り返し部３１ｃは、中皿側壁部３１において最も高い位置にある。外部側壁部３１ｂは主側壁部３１ａの外側に位置する。外部側壁部３１ｂは、全体として下側に向けて拡径しつつ延びている。
【００３１】
中皿フランジ部３２は、中皿側壁部３１の外縁から外側に向けて延設されている。中皿フランジ部３２は本実施形態では平面視略円形であるが、平面視略円形でなくてもよい。中皿フランジ部３２は中皿側壁部３１の外側に全周に亘って形成されている。中皿フランジ部３２は、外部側壁部３１ｂの下端から外側に向けて延びている。図８のように中皿フランジ部３２は、内側から順に、ベース面部３５と、立ち上がり壁部３６と、中皿水平面部３７とを備えている。ベース面部３５は、中皿側壁部３１の外部側壁部３１ｂの外縁から外側に延びている。ベース面部３５は外部側壁部３１ｂの外縁から外側に向けて略水平に延びている。ベース面部３５は平坦面であってもよいし径方向に沿って下側に向けて湾曲した湾曲面であってもよい。
【００３２】
立ち上がり壁部３６は、ベース面部３５の外縁から上側に向けて立ち上がっている。立ち上がり壁部３６は、外側に傾斜しつつ立ち上がっていてもよい。立ち上がり壁部３６は、傾斜角度が異なる複数のテーパ面から構成されてもよい。立ち上がり壁部３６は、平面視略多角形であり、特に平面視略正多角形である。多角形は、例えば六角形〜十二角形であって、好ましくは八角形〜十角形である。立ち上がり壁部３６の平面視の形状は、本体１の突条１４の内側の側面部１４ａの平面視の形状に対応している。従って、本体１の内側の側面部１４ａが例えば平面視略八角形である場合には、立ち上がり壁部３６はそれに対応して平面視略八角形であり、本体１の内側の側面部１４ａにおける辺の数と立ち上がり壁部３６における辺の数は等しい。多角形の各辺は、直線状であってもよいし、外側に向かって若干湾曲していてもよいし、内側に向かって若干湾曲していてもよい。
【００３３】
中皿水平面部３７は、立ち上がり壁部３６の上端から外側に向けて略水平に延びている。中皿水平面部３７は、中皿フランジ部３２の外周縁部を構成していると共に中皿２の外周縁部を構成している。中皿水平面部３７は、平面視略円形である。
【００３４】
尚、図４において、左右方向を矢印Ｘで示し、前後方向を矢印Ｙで示している。例えば仕切り壁部３３は平面視において前後方向に延びた形状とすることができる。本実施形態では、仕切り壁部３３が前後方向に沿っている状態を中皿２の基準状態とする。
【００３５】
＜蓋３＞
図６のように蓋３は平面視外縁が略円形である。図７のように、蓋３は、天面部４０と蓋側壁部４１と蓋フランジ部４２とを備えている。天面部４０は、平面視略円形である。天面部４０の主要部分は略水平な平坦面である。天面部４０の周縁部には互いに対向して一対のガード凸部４３が上側に向けて突設されている。ガード凸部４３の平面視の形状は任意である。例えば、ガード凸部４３は、所定幅を有する形状とすることができ、また、天面部４０の周縁部の周方向に沿って長い形状とすることができる。例えば、ガード凸部４３は、所定の中心角を有する円弧状とすることができる。ガード凸部４３を設けることにより、容器を上下に積み重ねた際に、容器の横方向の位置ずれを防止することができる。
【００３６】
蓋側壁部４１は、天面部４０の周縁から下側に向けて延びている。蓋側壁部４１には各種のリブを形成してよい。蓋側壁部４１は平面視略円形である。蓋側壁部４１は下側に向けて徐々に拡径しつつ延びている。蓋フランジ部４２は、蓋側壁部４１の下端から外側に向けて延設されている。蓋フランジ部４２は平面視略円形である。蓋フランジ部４２は蓋側壁部４１の外側に全周に亘って形成されている。
【００３７】
図８のように蓋フランジ部４２は、内側から順に、蓋フランジ主部４４と、蓋垂下壁部４５と、蓋縁取り部４６とを備えている。蓋フランジ主部４４は、蓋側壁部４１の下端から外側に向けて延びている。蓋フランジ主部４４の断面形状は任意である。例えば、蓋フランジ主部４４は、蓋側壁部４１の下端から上側且つ外側に傾斜つつ延びる傾斜部４４ａと、該傾斜部４４ａの上端から外側に向けて略水平に延びる蓋水平面部４４ｂとを備えることができる。傾斜部４４ａの径方向の寸法は小さくてよく、蓋水平面部４４ｂを蓋フランジ主部４４の主要部分とする構成としてよい。
【００３８】
蓋垂下壁部４５は、蓋フランジ主部４４の外縁から下側に向けて延びている。蓋垂下壁部４５は、平面視略円形である。蓋垂下壁部４５は、その下部に、蓋外嵌合部４７を有している。蓋外嵌合部４７は、蓋垂下壁部４５の上部に対して一段外側に突出している。蓋外嵌合部４７の下端部には内側に向けて突出した係止凸部４８が形成されている。係止凸部４８は全周に亘って連続的に形成されていてもよいし、一部に切欠部を有して断続的に形成さされていてもよく、所定長さのものが周方向に間隔をあけつつ複数箇所に形成されていてもよい。蓋垂下壁部４５の最下部には外側に向けて下降しつつ傾斜したテーパ部４９が設けられている。
【００３９】
蓋縁取り部４６は、蓋垂下壁部４５の下端から外側に向けて略水平に延びている。蓋縁取り部４６は、蓋フランジ部４２の外周縁部を構成していると共に蓋３の外周縁部を構成している。蓋縁取り部４６は、平面視略円形である。蓋縁取り部４６の全周のうちの一箇所には蓋摘み部５０が形成されている。蓋摘み部５０は、蓋縁取り部４６の外縁の一部が局所的に外側に膨出したものであってその形状、大きさは任意であって指先で摘むことができる程度の形状、大きさであればよい。蓋摘み部５０は例えば略三角形や舌片形状とすることができる。蓋摘み部５０は例えば本体摘み部２０と同じ形状としてよい。
【００４０】
尚、図６において、左右方向を矢印Ｘで示し、前後方向を矢印Ｙで示している。平面視において蓋摘み部５０は蓋３の中心に対して左手前４５度の位置にある。即ち、平面視において蓋摘み部５０が蓋３の中心に対して左手前４５度に位置する状態を蓋３の基準状態とし、その基準状態で左右方向と前後方向を定義する。一対のガード凸部４３は例えば図６のように左右方向に対向する配置態様としてよい。天面部４０の周縁部のうち前後方向に対向した一対の箇所を外側に向けて徐々に下降した傾斜面とすることが好ましく湾曲面とすることが好ましい。
【００４１】
本体１や中皿２、蓋３には、それらの部材同士を積み重ねた際のブロッキングを防止するためのブロッキング防止用凸部を配置することが好ましい。代表的に、図１及び図６に蓋３にブロッキング防止用凸部５１を設けた場合を示している。本体１や中皿２にも同様にブロッキング防止用凸部（図示省略）を配置することが好ましい。
【００４２】
上述のように本体縁取り部１７、中皿水平面部３７及び蓋縁取り部４６の内外方向の全幅のうち外周領域には極細の多数の凹凸を形成することが好ましく、補強効果が得られると共に指の切創が防止される。この凹凸は、正面から拡大して見たときに波形状とされ、多数の山頂と谷底の延びる方向が径方向であることが好ましい。また、この凹凸は、例えば、平目ローレット目や綾目ローレット目のようなローレット目によって形成されてよく、特には、滑りにくいようにするために綾目ローレット目によって形成することが好ましい。本体摘み部２０や蓋摘み部５０の全体にローレット目を設けることが好ましい。
【００４３】
＜合体状態＞
図１１〜図１４に本体１と中皿２と蓋３を合体させた合体状態を示している。本体１に中皿２を載せて、その上から蓋３を装着する。合体状態において、中皿２のベース面部３５は、本体１の内側本体水平面部１３の上側に対向し、中皿２の立ち上がり壁部３６は、本体１の突条１４の内側の側面部１４ａの内側に対向し、中皿２の中皿水平面部３７は、本体１の突条１４の頂面部１４ｂの上側に対向する。中皿水平面部３７は、本体１の突条１４の頂面部１４ｂよりも外側にはみ出してよい。
【００４４】
本体１に中皿２を載せると、本体１の内側本体水平面部１３に中皿２のベース面部３５が当接する。尚、本体１の突条１４の頂面部１４ｂに中皿２の中皿水平面部３７が当接してもよいし、当接しなくてもよい。即ち、本体１の内側本体水平面部１３に中皿２のベース面部３５が当接すると共に、本体１の突条１４の頂面部１４ｂに中皿２の中皿水平面部３７が当接することもある。何れにしても、本体１の内側本体水平面部１３、あるいは、本体１の内側本体水平面部１３と突条１４の頂面部１４ｂの両方によって中皿２が支持される。本体１に中皿２を載せる際、本体１の本体摘み部２０と中皿２の仕切り壁部３３を目安にして本体１に対して中皿２の周方向の位置を合わせることができる。例えば、図２のように本体摘み部２０が左手前４５度に位置するように本体１を基準状態として、その上に中皿２を載せる。中皿２も図４のように仕切り壁部３３が前後方向を向いた基準状態とし、その状態で本体１に載せる。
【００４５】
合体状態において、本体１の突条１４の内側の側面部１４ａの内側に中皿２の立ち上がり壁部３６が係合して本体１に対して中皿２の周方向の位置が定まる。本体１の突条１４の内側の側面部１４ａと中皿２の立ち上がり壁部３６が平面視略多角形となっているので、本体１に対して中皿２の周方向の位置を容易に位置決めすることができる。即ち、本体１と中皿２を何れも基準状態に揃えて周方向の位置決めを行うことができ、本体１の前後左右方向と中皿２の前後左右方向を揃えることができる。尚、図１４において、中皿２の立ち上がり壁部３６の外面が、本体１の突条１４の内側の側面部１４ａの内面に当接しているが、中皿２の立ち上がり壁部３６の外面が、本体１の突条１４の内側の側面部１４ａの内面に対して隙間をあけて対向していてもよく、隙間が生じている場合であっても、本体１に対して中皿２が多角形の頂点を越えて周方向に回らなければよい。
【００４６】
蓋３は、本体１に外嵌合する。即ち、本体１に蓋３を装着すると、本体外嵌合部１８の外側に蓋外嵌合部４７が嵌合し、本体外嵌合部１８の下側に蓋３の係止凸部４８が係止する。尚、蓋３の天面部４０は中皿２の中皿側壁部３１の折り返し部３１ｃに当接するが、例えば蓋フランジ主部４４が中皿水平面部３７に当接してもよい。蓋３を被せる際、蓋摘み部５０を目安にして本体１及び中皿２に対して蓋３を所定の向きに揃えることができる。例えば、図６のように蓋摘み部５０が左手前４５の位置となった基準状態の蓋３を、それぞれ基準状態となっている本体１及び中皿２に被せることができる。
【００４７】
その後、図１１及び図１２のように帯状ラベル４を巻回する。帯状ラベル４は、幅略一定の帯状であってよい。帯状ラベル４は、蓋３の天面部４０から本体１の本体底面部１０にかけて、上下方向に巻回される。帯状ラベル４は、蓋３の天面部４０の一対のガード凸部４３の間に位置する。帯状ラベル４は、その両端部が重ね合わせられて接着されることで環状とされたものや、重ね合わせ部を有しない無端環状のものであってよい。帯状ラベル４は、熱収縮性を有するものであってもよいし、熱収縮性を有しないものであってもよい。帯状ラベル４には、種々の情報が印刷されている。中皿２が本体１及び蓋３に対して周方向の所定位置に位置決めされているため、帯状ラベル４と中皿２とが綺麗に揃った状態となる。本実施形態では、基準状態において一対のガード凸部４３が左右方向に対向しているため、蓋３の天面部４０の上側において帯状ラベル４は前後方向に沿っている。基準状態において中皿２の仕切り壁部３３は前後方向に沿っているので、中皿２の仕切り壁部３３と帯状ラベル４は、平面視において、何れも前後方向に沿った状態となる。
【００４８】
図１２及び図１３に二点鎖線で食品Ｐ１，Ｐ２を示している。例えば、冷やし麺の場合、本体１に麺Ｐ１を収容し、その後、本体１に中皿２を載せる。その中皿２には、卵や胡瓜、トマト等の各種の具材Ｐ２を載せる。中皿２には仕切り壁部３３によって複数の収容室３４が設けられているので、各収容室３４に種類の異なる具材Ｐ２を収容することができる。そして、蓋３を被せた後、帯状ラベル４を巻きつけて冷やし麺の商品が完成する。蓋３は透明であるため、中皿２の収容室３４に収容された具材Ｐ２を蓋３を通して上方から視認できる。上述のように、中皿２の仕切り壁部３３の向きと帯状ラベル４の向きが揃っているので、中皿２の具材Ｐ２も帯状ラベル４と共に綺麗に揃った状態で見え、優れた見栄えが得られる。しかも、中皿２を本体１に載せる際に中皿２の周方向の位置決めを容易に行うことができるため、作業性にも優れており、見栄えに優れた商品を容易に作製できる。更に、本体１や蓋３は平面視略円形であるため、丼型の容器に求められる丸形の形状も維持できる。
【００４９】
また、飲み口部２１を設けていれば、本体１から麺Ｐ１を容易に取り出すことができ、飲み口部２１に口をつけて麺Ｐ１を容易に食することもできる。しかも、梱包に際して本体１同士を重ねる場合にも飲み口部２１によって本体１の向きを揃えることができる。そのため、本体摘み部２０の向きも揃った状態となり、本体１を綺麗に梱包することができるうえに、本体摘み部２０の折れ曲がりも防止できる。
【００５０】
尚、図１５及び図１６に他の実施形態における本体１の内側本体水平面部１３と突条１４のみを平面図で示している。図１５のように、本体１は飲み口部２１を有していない構成であってもよく、把持部２２を有していなくてもよい。また、図１６のように、本体１の突条１４の外側の側面部１４ｃが平面視略円形であってもよい。突条１４の内側の側面部１４ａが平面視略多角形であって外側の側面部１４ｃが平面視略円形である場合には、突条１４の頂面部１４ｂの幅は、多角形の各辺において広く、多角形の各頂点において狭くなる。図１６のように、本体側壁部１１は真円でなくてもよく全体として平面視略円形であればよい。
【００５１】
また、図１７のように、中皿２が、中皿水平面部３７の外縁から下側に向けて延びる中皿垂下壁部３８を備えていてもよい。中皿垂下壁部３８は本体１の突条１４の外側の側面部１４ｃに係合する形状としてよく、本体１の突条１４の外側の側面部１４ｃが図２のように平面視略多角形である場合にはそれに合わせて中皿垂下壁部３８も平面視略多角形としてよい。このように中皿垂下壁部３８を備える場合には、中皿垂下壁部３８の下端から外側に向けて中皿縁取り部３９を形成することが好ましい。
【００５２】
また更に、図１８のように、中皿２の中皿側壁部３１が外部側壁部３１ｂを備えない構成であってもよい。その場合、中皿側壁部３１の上端にベース面部３５が接続される。
【００５３】
また、図１９に他の実施形態における本体１の内側本体水平面部１３と突条１４のみを平面図で示している。この図では、内側の側面部１４ａが、多角形の各辺のうち一辺のみが長い形状としている。即ち、内側の側面部１４ａにおける多角形の各辺は、一つの辺が長辺部１４０であり、残りの辺が長辺部１４０よりも短い短辺部１４１，１４２である。短辺部１４１，１４２は、長辺部１４０の両側に隣接する第一の短辺部１４１と、長辺部１４０から離れた第二の短辺部１４２とからなる。第一の短辺部１４１は、第二の短辺部１４２よりも短い。例えば、内側の側面部１４ａが平面視略八角形である場合、内側の側面部１４ａは、一つの長辺部１４０と、二つの第一の短辺部１４１と、残る五つの第二の短辺部１４２とからなる。また、図示しないが、多角形の各辺のうち、隣り合う辺を長辺部とし、残りの辺を短辺部としてもよい。例えば、八角形であれば、隣り合う二〜七辺を長辺部とし、残りの辺を短辺部としてもよい。
【００５４】
そして、このように本体１の突条１４の内側の側面部１４ａが、一辺のみが他の辺よりも長い平面視略多角形である場合には、それに対応して中皿２の立ち上がり壁部３６は、一辺のみが他の辺よりも長い平面視略多角形としている。中皿２の一例を図２０に示している。図２０では、中皿フランジ部３２のみを図示している。立ち上がり壁部３６における多角形の各辺は、一つの辺が長辺部３６０であり、残りの辺が長辺部３６０よりも短い短辺部３６１，３６２としている。短辺部３６１，３６２は、長辺部３６０の両側に隣接する第一の短辺部３６１と、長辺部３６０から離れた第二の短辺部３６２とからなる。第一の短辺部３６１は、第二の短辺部３６２よりも短い。例えば、立ち上がり壁部３６が平面視略八角形である場合、立ち上がり壁部３６は、一つの長辺部３６０と、二つの第一の短辺部３６１と、残る五つの第二の短辺部３６２とからなる。このように、本体１の突条１４の内側の側面部１４ａと中皿２の立ち上がり壁部３６がそれぞれ一辺のみが長い平面視略多角形とした場合には、中皿２を本体１に装着する際に、中皿２の立ち上がり壁部３６における長辺部３６０を、本体１の突条１４の内側の側面部１４ａにおける長辺部１４０の位置に合わせることにより、中皿２を本体１に対して一つの固有の向きに容易に位置合わせすることができる。従って、組み立て作業性が向上する。また、図示しないが、多角形の各辺のうち、隣り合う辺を長辺部とし、残りの辺を短辺部としてもよい。例えば、八角形であれば、隣り合う二〜七辺を長辺部とし、残りの辺を短辺部としてもよい。
【００５５】
同様に、内側の側面部１４ａと中皿２の立ち上がり壁部３６をそれぞれ１８０度対向する二辺のみが長い平面視略多角形としてもよい。一例を図２１と図２２に示している。図２１には、他の実施形態における本体１の内側本体水平面部１３と突条１４のみを平面図で示している。突条１４の内側の側面部１４ａにおける多角形の各辺は、１８０度対向する二つの辺が長辺部１４０であり、残りの辺が長辺部１４０よりも短い短辺部１４１，１４２である。短辺部１４１，１４２は、両長辺部１４０のそれぞれの両側に隣接する第一の短辺部１４１と、長辺部１４０から離れた第二の短辺部１４２とからなる。第一の短辺部１４１は、第二の短辺部１４２よりも短い。例えば、内側の側面部１４ａが平面視略八角形である場合、内側の側面部１４ａは、二つの長辺部１４０と、四つの第一の短辺部１４１と、残る二つの第二の短辺部１４２とからなる。
【００５６】
図２２には、他の実施形態における中皿２を平面図で示している。但し、中皿フランジ部３２のみを図示している。立ち上がり壁部３６における多角形の各辺は、１８０度対向する二つの辺が長辺部３６０であり、残りの辺が長辺部３６０よりも短い短辺部３６１，３６２である。短辺部３６１，３６２は、両長辺部３６０のそれぞれの両側に隣接する第一の短辺部３６１と、長辺部３６０から離れた第二の短辺部３６２とからなる。第一の短辺部３６１は、第二の短辺部３６２よりも短い。例えば、立ち上がり壁部３６が平面視略八角形である場合、立ち上がり壁部３６は、二つの長辺部３６０と、四つの第一の短辺部３６１と、残る二つの第二の短辺部３６２とからなる。このように、本体１の突条１４の内側の側面部１４ａと中皿２の立ち上がり壁部３６がそれぞれ１８０度対向した二辺のみが長い平面視略多角形であると、中皿２を本体１に対して１８０度対向した二つの向きの何れか一方に容易に位置合わせすることができ、組み立て作業性が向上する。
【符号の説明】
【００５７】
１    本体
２    中皿
３    蓋
４    帯状ラベル
１０    本体底面部
１１    本体側壁部
１２    本体フランジ部
１３    内側本体水平面部（本体水平面部）
１４    突条
１４ａ  内側の側面部
１４ｂ  頂面部
１４ｃ  外側の側面部
１５    外側本体水平面部
１６    本体垂下壁部
１７    本体縁取り部
１８    本体外嵌合部
１９    テーパ部
２０    本体摘み部
２１    飲み口部
２１ａ  飲み口下部
２１ｂ  飲み口上部
２２    把持部
２３    逃げ凹部
３０    中皿底面部
３１    中皿側壁部
３１ａ  主側壁部
３１ｂ  外部側壁部
３１ｃ  折り返し部
３２    中皿フランジ部
３３    仕切り壁部
３４    収容室
３５    ベース面部
３６    立ち上がり壁部
３７    中皿水平面部
３８    中皿垂下壁部
３９    中皿縁取り部
４０    天面部
４１    蓋側壁部
４２    蓋フランジ部
４３    ガード凸部
４４    蓋フランジ主部
４４ａ  傾斜部
４４ｂ  蓋水平面部
４５    蓋垂下壁部
４６    蓋縁取り部
４７    蓋外嵌合部
４８    係止凸部
４９    テーパ部
５０    蓋摘み部
５１    ブロッキング防止用凸部
１４０  長辺部
１４１  第一の短辺部
１４２  第二の短辺部
３６０  長辺部
３６１  第一の短辺部
３６２  第二の短辺部
Ｐ１    食品
Ｐ２    食品
【図１】
2020111386.tif 000003
【図２】
2020111386.tif 000004
【図３】
2020111386.tif 000005
【図４】
2020111386.tif 000006
【図５】
2020111386.tif 000007
【図６】
2020111386.tif 000008
【図７】
2020111386.tif 000009
【図８】
2020111386.tif 000010
【図９】
2020111386.tif 000011
【図１０】
2020111386.tif 000012
【図１１】
2020111386.tif 000013
【図１２】
2020111386.tif 000014
【図１３】
2020111386.tif 000015
【図１４】
2020111386.tif 000016
【図１５】
2020111386.tif 000017
【図１６】
2020111386.tif 000018
【図１７】
2020111386.tif 000019
【図１８】
2020111386.tif 000020
【図１９】
2020111386.tif 000021
【図２０】
2020111386.tif 000022
【図２１】
2020111386.tif 000023
【図２２】
2020111386.tif 000024